(57)【要約】【課題】端子金具が変形した場合でも外れにくくする。【解決手段】端子金具２における取付孔８の孔縁部分には、両端子金具１，２のスライド方向に対し交差する方向であってかつ板面に概ね沿った方向に突出するロック突部２７が形成されている。両端子金具１，２の第１係合部６が相手側端子金具の第２係合部７に差し込まれた正規の組み付け状態においては、ロック突部２７が相手側の第１係合部６に係合することで第１係合部６の抜け方向へのスライドが規制される。ロック突部２７は、端子金具１，２の一部が変形して両端子金具１，２が厚み方向にがたついた場合でも係合が解除されにくいため、両端子金具１，２が外れるのを防止することができる。【選択図】  図５
2004327355.tif 000002
【特許請求の範囲】
【請求項１】
それぞれが板状の取付部を備えた一対の端子金具からなり、前記取付部同士を重ねつつ互いに板面に沿ってスライドさせることで、一方の取付部に設けられた第１係合部が他方の取付部に設けられた第２係合部に対して差し込まれて、両端子金具の厚み方向の離脱が規制されるようにした組合せ端子金具であって、
前記第１係合部とその相手側端子金具の取付部とのうちのいずれか一方には、前記スライド方向に対し交差する方向であってかつ板面に概ね沿った方向に突出するとともに、他方に係合することで前記第１係合部が前記第２係合部から抜け出す方向へのスライドを規制可能なロック突部が形成されていることを特徴とする組合せ端子金具。
【請求項２】
前記両端子金具の取付部には、それぞれ組み付け時に互いに整合する取付孔が貫通して形成されており、前記第１係合部及び第２係合部がともにその取付孔の周囲に設けられたものにおいて、
前記ロック突部は、一方の前記取付孔の孔縁部分からその取付孔の内側へ突出して設けられ、相手の前記第１係合部の端縁部に係合可能とされていることを特徴とする請求項１に記載の組合せ端子金具。
【請求項３】
前記ロック突部は、前記第１係合部の前記第２係合部に対する差し込み動作を許容するように弾性変形可能とされていることを特徴とする請求項１又は請求項２に記載の組合せ端子金具。
【発明の詳細な説明】
【０００１】
【発明の属する技術分野】
本発明は、組合せ端子金具に関する。
【０００２】
【従来の技術】
組合せ端子金具の一例として、図１０に示したものが知られている。一方の端子金具１００には、電線Ｗの端部が接続される電線接続部１０１と、図示しないボルトを挿通可能な取付孔１０２を設けた取付部１０３とが設けられている。もう一方の端子金具１０４には、同じく電線Ｗの端部が圧着される電線接続部１０１と、図示しないボルトを挿通可能な取付孔１０２を設けた取付部１０５とが設けられるとともに、先細り状となった取付部１０５の先端には回り止め部１０６が下方へ向けて突設されている。両端子金具１００，１０４の各取付部１０３，１０５には、それぞれ取付孔１０２を挟んだ位置に、係止突起１０７を備えた第１係合部１０８と、係止孔１０９を備えた第２係合部１１０とが段差状に設けられており、両取付部１０３，１０５は取付孔１０２回りの構造が互いにほぼ点対称の関係となっている。
【０００３】
組み付けに際しては、両端子金具１００，１０４を上下に重ねつつ互いの第１係合部１０８を相手側端子金具の取付孔１０２の内側に進入させ、その状態から両取付孔１０２，１０２が整合するように取付部１０３，１０５を板面に沿って相対的にスライドさせる。これにより、第１係合部１０８が相手側の第２係合部１１０の下面又は上面に差し込まれて係止突起１０７が係止孔１０９内に嵌合し、図１１に示すように、もって両端子金具１００，１０４が取付孔１０２，１０２を整合させた状態で離脱不能に組み付けられる。
なお、この種の組合せ端子金具の一例として、特許文献１に記載されたものがある。
【０００４】
【特許文献１】
特開平１１−６７３０５号公報
【０００５】
【発明が解決しようとする課題】
ところで、上記の組合せ端子金具１００，１０４では、回り止め部１０６や電線接続部１０１等の部位に誤って無理な力が加えられると、例えば図１２に符号１０５Ａで示す部位のように、両係合部１０８，１１０の段差部分から一端側の部分が正規の状態より折れ曲がってしまうことがある。このような場合には、両端子金具１００，１０４が上下方向（厚み方向）にがたつきを生じ、係止突起１０７が係止孔１０９より外れるととともに、両取付部１０３，１０５が組み付け時と反対方向にスライドして第１係合部１０８が第２係合部１１０から抜け出し、両端子金具１００，１０４が外れてしまうおそれがあった。
本発明は、上記事情に鑑みてなされたもので、その目的は、端子金具が変形した場合でも外れにくい組合せ端子金具を提供するところにある。
【０００６】
【課題を解決するための手段】
上記の課題を解決するための請求項１の発明に係る組合せ端子金具は、それぞれが板状の取付部を備えた一対の端子金具からなり、前記取付部同士を重ねつつ互いに板面に沿ってスライドさせることで、一方の取付部に設けられた第１係合部が他方の取付部に設けられた第２係合部に対して差し込まれて、両端子金具の厚み方向の離脱が規制されるようにした組合せ端子金具であって、前記第１係合部とその相手側端子金具の取付部とのうちのいずれか一方には、前記スライド方向に対し交差する方向であってかつ板面に概ね沿った方向に突出するとともに、他方に係合することで前記第１係合部が前記第２係合部から抜け出す方向へのスライドを規制可能なロック突部が形成されているところに特徴を有する。
【０００７】
請求項２の発明は、請求項１に記載のものにおいて、前記両端子金具の取付部には、それぞれ組み付け時に互いに整合する取付孔が貫通して形成されており、前記第１係合部及び第２係合部がともにその取付孔の周囲に設けられたものにおいて、前記ロック突部は、一方の前記取付孔の孔縁部分からその取付孔の内側へ突出して設けられ、相手の前記第１係合部の端縁部に係合可能とされているところに特徴を有する。
【０００８】
請求項３の発明は、請求項１又は請求項２に記載のものにおいて、前記ロック突部は、前記第１係合部の前記第２係合部に対する差し込み動作を許容するように弾性変形可能とされているところに特徴を有する。
【０００９】
【発明の作用および効果】
請求項１の発明によれば、ロック突部が相手側の第１係合部又は取付部に係合することで第１係合部の抜け方向へのスライドが規制される。ロック突部は、スライド方向に対し交差する方向であってかつ板面に概ね沿った方向に突出するため、端子金具の一部が変形して両端子金具が厚み方向にがたついた場合でも係合が解除されにくく、従って両端子金具が外れるのを防止することができる。
【００１０】
請求項２の発明によれば、ロック突部を取付孔の孔縁部分に設けて、相手の第１係合部の端縁部に係合するようにしたことで、従来のものから大きな設計変更を必要としないため、製造コストの増大化を抑えることができる。
【００１１】
請求項３の発明によれば、ロック突部が第１係合部の差し込み動作を許容するように弾性変形するため、かしめ等を行うことなくロック突部を相手側に係合させることが可能となり、作業性を高めることができる。
【００１２】
【発明の実施の形態】
＜第１実施形態＞
次に本発明の第１実施形態について図１から図７を参照して説明する。
本実施形態の組合せ端子金具は、上下に重ねた状態で組み付けられる一対の端子金具１，２から構成されている。両端子金具１，２は、いずれも所定形状に打ち抜いた導電性の金属板材を曲げ加工して形成される。なお、以下の説明においては、図２及び図３の上側を前方とする。また、両端子金具１，２間で同一構造のものについては、同一符号を付して、重複する説明を一部省略する。
【００１３】
上側に組み付けられる端子金具１は、図１及び図２に示すように、板状で角部が円弧状をなす略正方形の取付部３と、この取付部３の後縁右端から後方へ延出する電線接続部４とからなる。電線接続部４は、電線Ｗの芯線をかしめ付ける前側のワイヤバレル４Ａと、電線Ｗの被覆をかしめ付ける後側のインシュレーションバレル４Ｂとをそれぞれ左右一対ずつ上方へ立ち上げて形成されている。取付部３は、左右方向に長い前後一対の平板部５Ｆ，５Ｒと、この平板部５Ｆ，５Ｒの左端部同士を橋渡し状に連結する第１係合部６と、両平板部５Ｆ，５Ｒの右端部同士を橋渡し状に連結する第２係合部７とからなり、これらに囲まれた中央部分には、ボルトを貫通させるための取付孔８が開口されている。両平板部５Ｆ，５Ｒは、同じ高さに位置しており、またそれぞれ右端側の位置に下方へ叩き出された接触突起９が形成されている。
【００１４】
第１係合部６と第２係合部７は、共に板状をなすとともに、その前後両端部が略上下方向に向けて曲げられた一対の連結部１１，１２を介して平板部５Ｆ，５Ｒに連結されることで、平板部５Ｆ，５Ｒに対して板厚略一枚分程度低い段差状をなしている。第１係合部６の上面における左端側の位置には、上方へ叩き出され且つ左方へ向かって下り勾配となる係止突起１３が形成されている。また、第１係合部６には、その左端縁から平板部５Ｆ，５Ｒとの境界に沿って連結部１１側（右方）へ切欠された前後一対のスリット１４が形成されている。第２係合部７の右端寄りの位置には、係止孔１５が厚み方向に貫通して形成され、第２係合部７の上面には、その左端縁から係止孔１５に至るテーパ面１６が形成されている。また、第２係合部７には、その左端縁から平板部５Ｆ，５Ｒとの境界に沿って連結部１２側（右方）へ切欠された前後一対のスリット１７が形成されている。
【００１５】
一方、下側に組み付けられる端子金具２は、図１及び図３に示すように、板状をなす取付部２１の後端縁左端部から電線接続部４を延出させたものであり、電線接続部４は、電線Ｗの芯線をかしめ付ける前側のワイヤバレル４Ａと、電線Ｗの被覆をかしめ付ける後側のインシュレーションバレル４Ｂとをそれぞれ左右一対ずつ上方へ立ち上げて形成されている。取付部２１は、前後一対の平板部２２Ｆ，２２Ｒと、この両平板部２２Ｆ，２２Ｒの右端同士を連結する第１係合部６と、両平板部２２Ｆ，２２Ｒの左端同士を連結する第２係合部７とを備え、中央に取付孔８を有している。この２つの係合部６，７は、上記端子金具１の係合部６，７を前後方向の軸を中心として１８０°回転させたものであり、両端子金具１，２の取付部３，取付部２１における取付孔８回りの構造は、前後方向の軸に関して概ね点対称の関係となっている。両平板部２２Ｆ，２２Ｒには、それぞれ左端側の位置に上方へ叩き出された接触突起９が形成されている。また、平板部２２Ｆの前端は、前方へ先細り状に延出しており、その前端部から下方へ回り止め部２６が突出して形成されている。この回り止め部２６は、固定面付近に凹設された溝部（図示せず）に嵌まり込むことで、ボルトを回し付けるときに、端子金具の連れ回りを規制することができるので、ボルト締め操作が容易となる。
【００１６】
端子金具２の平板部２２Ｆ，２２Ｒには、取付孔８の孔縁部分における中央よりやや第２係合部７側寄りの位置に前後一対のロック突部２７が形成されている。このロック突部２７は、平板部２２Ｆ，２２Ｒの板面に沿うように形成されるとともに、互いに前後方向の中央側へ向けて突出している。また、ロック突部２７の右面には左側へ向かうにつれて徐々に突出寸法が大きくなるように傾斜した案内面２７Ａが形成され、左面には平板部２２Ｆ，２２Ｒの縁部に対して垂直に切り立った係合面２７Ｂが形成されている。
【００１７】
次に本発明の作用を説明する。
組合せ端子金具の組付けに際しては、まず、図１に示すように、端子金具１を端子金具２に対して上方に位置させ、両端子金具１，２を重ねつつ両端子金具１，２の第１係合部６を互いに相手側端子金具の取付孔８の内側に進入させる。この状態から端子金具１を端子金具２に対して左方へ板面に沿ってスライドさせると、端子金具１における連結部１１の左端がロック突部２７の案内面２７Ａに当接して、スライドの進行とともに両ロック突部２７が前後方向の外側へ押圧されて平板部２２Ｆ，２２Ｒが互いに離関する。そして、端子金具１の第１係合部６が端子金具２の第２係合部７の下面に差し込まれるとともに、端子金具２の第１係合部６が端子金具１の第２係合部７の上面に差し込まれる。また、両端子金具１，２のスリット１４に相手側端子金具の連結部１２が差し込まれ、スリット１７に相手側端子金具の連結部１１が差し込まれる。
【００１８】
そして、取付孔８同士が整合する正規の位置までスライドした後、離間した両平板部２２Ｆ，２２Ｒを互いに接近させるようにかしめると、ロック突部２７の係合面２７Ｂが端子金具１の連結部１１の右端に係合する（図４〜図６参照）。これにより両端子金具１，２が正規の組み付け状態に至る。この状態では、両端子金具１，２の第１係合部６と第２係合部７とが相手側端子金具の係合部６，７に差し込まれることで、両端子金具１，２が上下互い違いに重ね合わされた状態となるため、両端子金具１，２が厚み方向（上下方向）に離脱することが規制される。また、各接触突起９が相手側端子金具の平板部５Ｆ，５Ｒ，２２Ｆ，２２Ｒに押し付けられつつ当接することで、両端子金具１，２の厚み方向のがたつきが規制される。さらに、双方の係止突起１３と係止孔１５とが嵌合するとともに、ロック突部２７が端子金具１の第１係合部６（連結部１１）に係合することで、取付部３，２１が組み付け時と反対方向にスライドすること、即ち第１係合部６の第２係合部７からの抜けが規制され、もって両端子金具１，２が両端子金具１，２が離脱不能に保持される。なお、この正規の組み付け状態においては、左右方向から見ると、両端子金具１，２が交差した領域（連結部１１，１２が重なった領域）内にロック突部２７の一部が重なるような形態となっている。
【００１９】
上記のようにして組み付けられた端子金具１，２は、回り止め部２６を固定部付近の溝部（図示せず）に嵌め込み、ボルトを両取付孔８に挿通させてねじ止めすることで取り付けられる。この取り付けが完了するまでの間には、回り止め部２６や電線接続部４等の部位に誤って無理な力が加えられて端子金具１，２の一部が変形してしまうことが起こり得る。その場合には、強度の関係上、各連結部１１，１２と平板部５Ｆ，５Ｒ，２２Ｆ，２２Ｒとの境界部分が変形する可能性が高い。一例として図７には、端子金具２の平板部２２Ｆが正規の状態より下向きに変形した状態を示した。この場合には、平板部５Ｆ，２２Ｆの各接触突起９が相手側の平板部５Ｆ，２２Ｆから離間することから、両端子金具１，２の前部が上下方向（厚み方向）にがたつきを生じ、各係止突起１３が係止孔１５より離脱することがある。しかしながら、同図に示すように、このがたつきの範囲内では、両ロック突部２７とも相手側第１係合部６の連結部１１に対する係合代（同図のロック突部２７と連結部１１との重なり部分）がなくなることはないため、係合状態が保たれ、従って第１係合部６が第２係合部７から抜け出ることが規制される。なお、その他の平板部５Ｆ，５Ｒ，２２Ｒが連結部１１，１２に対して変形した場合にも、上記とほぼ同様にして、ロック突部２７の係合状態が保たれる。
【００２０】
以上のように本実施形態によれば、ロック突部２７が相手側の第１係合部６に係合することで第１係合部６の抜け方向へのスライドが規制される。ロック突部２７は、スライド方向に対し交差する方向であってかつ板面に概ね沿った方向に突出するため、端子金具１，２の一部が変形して両端子金具１，２が厚み方向にがたついた場合でも係合が解除されにくく、従って両端子金具１，２が外れるのを防止することができる。
また、ロック突部２７を取付孔８の孔縁部分に設けて、相手の第１係合部６の端縁部に係合するようにしたことで、従来のものから大きな設計変更を必要としないため、製造コストの増大化を抑えることができる。
【００２１】
＜第２実施形態＞
次に本発明の第２実施形態について図８及び図９を参照して説明する。
本実施形態では、下側に組み付けられる端子金具３０に設けられたロック突部３１の形状が第１実施形態のものと異なり、その他の構成は、第１実施形態と同様である。このロック突部３１は、平板部２２Ｆ，２２Ｒにおける取付孔８の孔縁部分から斜め方向に細長く片持ち状に延出しており、平板部２２Ｆ，２２Ｒの板面に沿うように形成されるとともに、先端側（左端側）へ行くほど前後方向の中央側に突出するような形態をなしている。また、ロック突部３１の先端は、平板部２２Ｆ，２２Ｒの孔縁部分との間の撓み空間Ｓへ弾性変形可能とされている。
【００２２】
組み付けに際しては、第１実施形態と同様に端子金具１，３０を重ねつつスライドさせると、相手側端子金具１の連結部１１がロック突部３１に当接して、図９（Ｂ）に示すように、ロック突部３１の先端が撓み空間Ｓに撓み変形し、これにより連結部１１の通過が許容される。そして、両端子金具１，３０が正規の組み付け状態に至るまでスライドされると、図９（Ｃ）に示すように、ロック突部３１が復元変形して連結部１１に係合する。
本実施形態によれば、第１実施形態と同様の効果に加えて、ロック突部２７が第１係合部６の差し込み動作を許容するように弾性変形するため、かしめ等を行うことなくロック突部２７を相手側に係合させることが可能となり、作業性を高めることができる。
【００２３】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、一対の端子金具からなる組合せ端子金具を示したが、本発明によれば、組合せ端子金具を３つ以上の端子金具から構成しても良い。
（２）上記実施形態では、ロック突部を相手側端子金具に第１係合部に係合させるようにしたが、本発明によれば、ロック突部を第１係合部に設けて相手側の取付部に係合させる構成としても良く、また両端子金具にそれぞれロック突部を設けるようにしても良い。
（３）上記実施形態では、第１，第２係合部に互いに凹凸嵌合する係止突起と係止孔を設けたが、本発明によれば、係合部にこのような部位を設けない構成としても良い。
【図面の簡単な説明】
【図１】第１実施形態に係る組合せ端子金具の組み付け前の状態を示す斜視図
【図２】上側の端子金具の平面図
【図３】下側の端子金具の平面図
【図４】組合せ端子金具の組み付け後の状態を示す斜視図
【図５】その平面図
【図６】その側面図
【図７】端子金具が変形した状態を示す部分拡大断面図
【図８】第２実施形態に係る下側の端子金具の平面図
【図９】（Ａ）ロック突部の部分拡大平面図
（Ｂ）組み付け途中の状態を示す部分拡大断面図
（Ｃ）組み付け後の状態を示す部分拡大断面図
【図１０】従来例に係る組合せ端子金具の組み付け前の状態を示す斜視図
【図１１】従来例に係る組合せ端子金具の組み付け後の状態を示す斜視図
【図１２】従来例に係る端子金具が変形した状態を示す部分拡大断面図
【符号の説明】
１，２，３０…端子金具
３，２１…取付部
６…第１係合部
７…第２係合部
８…取付孔
２７，３１…ロック突部
【図１】
2004327355.tif 000003
【図２】
2004327355.tif 000004
【図３】
2004327355.tif 000005
【図４】
2004327355.tif 000006
【図５】
2004327355.tif 000007
【図６】
2004327355.tif 000008
【図７】
2004327355.tif 000009
【図８】
2004327355.tif 000010
【図９】
2004327355.tif 000011
【図１０】
2004327355.tif 000012
【図１１】
2004327355.tif 000013
【図１２】
2004327355.tif 000014